(57)【要約】本発明は液体透過性表面層、液密表面層及びこれらの表面層の間に配置された第一吸収体を含むおむつ又は失禁パッドの如き吸収物品であって、前記第一吸収体が表面層に沿って縦方向及び横方向に延びかつ液体透過性表面層から液密表面層の方へ通し方向へも延びるものに関する。前記第一吸収体は通し方向に延びる開口を有する。第二吸収構造は液体透過性表面層から離れて面する第一吸収体の側に配置されている。本発明によれば液体透過性表面層は開口を通して第二吸収構造に取付けられている。
2005525134.tif 000002
【特許請求の範囲】
【請求項１】
液体透過性表面層（３）、液密表面層（５）及びこれらの表面層の間に配置された第一吸収体（７）を含むおむつ又は失禁パッドの如き吸収物品であって、前記第一吸収体（７）が表面層に沿って縦方向（１１）及び横方向（９）に延びかつ液体透過性表面層（３）から液密表面層（５）の方へ通し方向（１０）に延び、前記第一吸収体（７）が通し方向（１０）に延びる開口（２９）を有し、第二吸収構造（３１）が液体透過性表面層（３）から離れて面する第一吸収体（７）の側に配置されているものにおいて、液体透過性表面層（３）が開口（２９）を通して第二吸収構造（３１）に取付けられていることを特徴とする吸収物品。
【請求項２】
液体透過性表面層（３）が第一吸収体（７）に取付けられていないことを特徴とする請求項１に記載の吸収物品。
【請求項３】
第一吸収体（７）が第二吸収構造（３１）に取付けられていないことを特徴とする請求項１又は２に記載の吸収物品。
【請求項４】
開口（２９）が丸い穴の形状のものであることを特徴とする請求項１〜３のいずれか一項に記載の吸収物品。
【請求項５】
開口（２９）が縦溝の形状のものであることを特徴とする請求項１〜３のいずれか一項に記載の吸収物品。
【請求項６】
液体透過性表面層（３）が第一吸収体を通る開口（２９）に配置された穴（３２）を有し、かくして尿及び／又は排泄物が穴（３２）及び開口（２９）を通過することができることを特徴とする請求項１〜５のいずれか一項に記載の吸収物品。
【請求項７】
液体透過性表面層（３）が第一吸収体（７）を通る開口（２９）の間に疎水性領域を含むことを特徴とする請求項１〜６のいずれか一項に記載の吸収物品。
【請求項８】
液体透過性表面層（３）が２０ｇ／ｍ２の単位面積あたり最大重量を有することを特徴とする請求項１〜７のいずれか一項に記載の吸収物品。
【請求項９】
液体移送層（４０）が液体透過性表面層（３）と第一吸収体（７）の間に配置され、液体移送層（４０）も開口（２９）を通して第二吸収構造（３１）に取付けられていることを特徴とする請求項１〜８のいずれか一項に記載の吸収物品。
【発明の詳細な説明】
【発明の詳細な説明】
【０００１】
技術分野
本発明は液体透過性表面層、液密表面層及びこれらの表面層の間に配置された第一吸収体を含むおむつ又は失禁パッドの如き吸収物品に関する。前記第一吸収体は表面層に沿って縦方向及び横方向に延びかつ液体透過性表面層から液密表面層の方へ通し方向に延び、前記第一吸収体は通し方向に延びる開口を有する。
【０００２】
背景技術
ＵＳ  ５８４６２３１は吸収体中の切欠きの形状の開口を通して液密表面層に取付けられた液体透過性表面層を含む吸収物品を記述する。物品を横切る良好な分散を得るため、切欠きは縦方向に、また従来知られているように横方向に間欠的に配置される。しかしながら、大量の尿及び下痢便のような粘性のある液体を効果的に分散させて取り扱うためにはこの解決策は不適切である。
【０００３】
ＷＯ  ９９／２５２９１は下痢便の如き粘性のある液体を取り扱うため肛門の近くに配置されることを意図され、明白に規定された効果的な開口を有し、かつ貯蔵層にわたって配置された、受入れ手段を含む吸収物品を記述する。液体透過性表面層は穴を与えられることができる。しかしながら、この解決策は尿及び排泄物の両方を効果的に分散させて貯蔵するためには適切ではない。
【０００４】
ＷＯ  ９６／２０６７０は吸収体を通る穴の形状であることができる受入れ空間を有する吸収体を含む吸収物品を記述する。受入れ空間に隣接する吸収体の領域は湿潤されたときに物品の受入れ表面に対して直角に物品を通る方向に厚さを増大させる材料からなる。空間は上に横たわる層と下に横たわる層の間に配置される。
【０００５】
発明の目的及び主要な特徴
本発明の一つの目的は尿及び下痢便の如き粘性のある液体の両方を取り扱う改良された能力を有する吸収物品を提供することである。本発明の別の目的は尿及び粘性のある液体が取り扱われるときに皮膚に対して乾燥した接触表面を作り出すことである。
【０００６】
本発明によれば導入部で言及された種類の吸収物品が製造される。本発明による吸収物品は第二吸収構造が液体透過性表面層から離れて面する第一吸収体の側に配置されていること、及び液体透過性表面層が開口を通して第二吸収構造に取付けられていることを主な特徴とする。
【０００７】
「取付けられる」は材料が直接又は中間材料を介して間接的に相互に一緒に結合されていることを意味する。取付けは例えば超音波溶接、熱溶接又は接着の形態であることができる。
【０００８】
液体透過性表面層は液体を下に横たわる層に通過させる目的のために意図されたいかなる公知材料からなることができる。かかる材料の例は不織布材料、有孔プラスチックフィルム、有孔疎水性材料、ネットなどである。表面層は同一材料又は異なる材料の二以上の層の積層体からなることもできる。
【０００９】
本発明の一実施態様によれば液体透過性表面層は第一吸収体に取付けられていない。現代の公知の吸収物品中の液体透過性表面層は通常、接着剤によって下に横たわる吸収構造に取付けられている。これはとりわけ吸収構造が動いたり塊を形成したりしないようにするため行われる。液体透過性表面層を第二吸収体に取付けているため、液体透過性表面層を第一吸収構造に接着することは必要でない。製造中物品に多すぎる接着剤を適用することによる接着剤の漏出、及びそれに付随する皮膚刺激又は液体透過性表面層中の細孔が接着剤によってふさがれることによる制限された液体透過性の如き問題はかくして解決されることができる。装置中の接着剤による物品の製造中の作業中止、及び接着剤が吸収体中の細孔をふさぐことによる損なわれた吸収能力の如き他の問題も縮小される。有利には表面層の細孔を詰まらせることなしに又は接着剤が材料に透過することなしに薄い液体透過表面層を使用することが可能であり、その結果、良好な透過性が得られることができる。従って、液体透過性表面層は２０ｇ／ｍ２の単位面積あたりの最大重量を有することができる。
【００１０】
一実施態様によれば液体移送層は液体透過性表面層と第一吸収体の間に配置される。この実施態様において液体移送層は第一吸収体を通る開口を通して第二吸収構造にも取付けられる。液体透過性表面層は表面層と第二吸収構造の間に横たわる液体移送層を通して第二吸収構造に間接的に取付けられる。
【００１１】
一実施態様によれば第二吸収構造は構造体の液体受入れ側に配置された液体透過性層を含み、その層に液体透過性表面層が取付けられる。液体透過性層は隣接する層を通して液体を通過させる目的のために意図されたいかなる公知材料からなることができる。かかる材料の例は不織布材料、有孔プラスチックフィルム、有孔疎水性材料、ネットなどである。層は同一材料又は異なる材料の二以上の層の積層体からなることもできる。この層は皮膚と直接接触していないので、それは有利には親水性材料又は親水性化された疎水性材料からなることができ、かくして液体を下に横たわる層に迅速に通過させることを可能にする。好適な親水性材料の例はレーヨン又は綿である。疎水性材料を親水性化する方法の例は材料を湿潤剤、火炎処理、コロナ又はプラズマで処理することである。第二吸収構造は液体透過性層からなることができる。
【００１２】
液体透過性層は下に横たわる層（例えば吸収構造のいかなる他の部分）に、又は下に横たわる第三吸収構造に、又は代わりに第二吸収構造が液体透過性層のみからなる実施態様においては液密表面層に、取付けられる必要はない。液体透過性層が下に横たわる層に取付けられていないことにより、液体透過性層と下に横たわる層の間に可撓性空間が得られる。液体透過性表面層と液体透過性層はその場合、吸収体を通る開口に配置された穴を好ましくは有することができる。排泄物及び尿はかくして穴及び開口を通過した後に液体透過性層と下に横たわる層の間の可撓性空間において収集されることができる。
【００１３】
上記段落においては、「下に横たわる層」は使用中着用者から離れて面する液体透過性層の側に配置された層を意味する。
【００１４】
これに関し、「取付けられていない」は材料が製造中相互に一緒に意図的に結合されていないことを意味する。しかしながら、第一吸収体は第二吸収構造に対する液体透過性表面層の取付けに対して最も近い領域において液体透過性表面層に又は第二吸収構造に又はこれらの両方に結合されることができる。材料は横方向及び／又は縦方向側縁に沿って相互に一緒に結合されることができる。
【００１５】
液体透過性表面層は開口の間に疎水性領域を有することができる。この場合、尿及び排泄物は吸収構造及び吸収体中に更に分散する前に収集のために開口中へ迅速に走り込む。かくして液体透過性表面層は使用中乾燥した感覚を与えることができる。液体透過性表面層は有孔疎水性材料からなることができ、又は表面層は従来公知の方法で化学的に処理されて帯状の疎水性表面を得ることができる。
【００１６】
図面の簡単な記述
本発明は図面を参照して以下一層詳細に記述されるであろう。図中、
図１は本発明の一実施態様によるおむつの平面図を示し、
図２ａは第一実施態様による線ＩＩ−ＩＩに沿った図１のおむつを通る断面を示し、
図２ｂは第二実施態様による線ＩＩ−ＩＩに沿った図１のおむつを通る断面を示し、
図２ｃは第三実施態様による線ＩＩ−ＩＩに沿った図１のおむつを通る断面を示し、
図２ｄは第四実施態様による線ＩＩ−ＩＩに沿った図１のおむつを通る断面を示し、
図２ｅは第五実施態様による線ＩＩ−ＩＩに沿った図１のおむつを通る断面を示し、そして
図２ｆは第六実施態様による線ＩＩ−ＩＩに沿った図１のおむつを通る断面を示す。
【００１７】
発明を実施するための様式
図１及び２に示すおむつ１は液体透過性表面層３、液密表面層５及び表面層３と５の間に配置された第一吸収体７を含む。おむつは平面において横方向９及び縦方向１１を有する。おむつは縦方向及び横方向に対して直角の通し方向１０をも有する。
【００１８】
二つの表面層は第一吸収体７の外側に横方向９及び縦方向１１に延び、突出する部分１３において例えば接着剤又は熱的もしくは超音波溶接によって相互連結されている。
【００１９】
液体透過性層３は液体を下に横たわる層に通過させる目的のために意図されたいかなる公知材料からなることができる。かかる材料の例は不織布材料、有孔プラスチックフィルム、有孔疎水性材料、ネットなどである。表面層は同一材料又は異なる材料の二以上の層の積層体からなることもできる。液体透過性表面層は弾性的に伸張可能な又は非弾性的に伸張可能なストレッチ性材料からなることができる。
【００２０】
液密表面層５は液体透過に対して抵抗する目的のために意図されたいかなる材料からなることができる。かかる材料の例はプラスチックフィルム、不織布材料及び／又はプラスチックフィルムの多数の層の積層体及びそれらの類似材料である。もし材料が水蒸気を通過させる能力を有し従って通気性を示すならば有利である。
【００２１】
おむつ１は細長い形状を有し、使用中着用者の後方の近くに横たわることを意図される後部分１５、使用中着用者の前方の近くに横たわることを意図される前部分１７、及び前部分１７と後部分１５の間に横たわる股部分１９を有する。前部分１７と後部分１５の間に横たわる股部分１９は後部分１５及び前部分１７よりも狭く、おむつ１は砂時計形状を有する。おむつは縦方向側縁２１及び横方向端縁２３をも有する。
【００２２】
後部分１５におむつは取付手段２５を有する。前記取付手段２５は各縦方向側縁２１に沿って配置されており、受入れ領域に取付けられることを意図されている。前記受入れ領域はおむつの使用中外方に面する前部分１７の側に配置されている。かかる取付手段２５は従来公知であり、例えばテープの如き接着剤固定手段、又はタッチアンドクローズファスナーの如き機械的固定手段を含むことができる。接着剤固定手段に対しては受入れ領域はプラスチックフィルムで強化されることができ、又は機械的固定手段に対しては受入れ領域は例えばタッチアンドクローズファスナー又は不織布材料の如き機械的固定手段が取り付けられることができる表面を構成する。
【００２３】
上述しかつ図面に示されたおむつの設計は本発明を限定するものとみなされるべきではない。本発明の範囲内では例えば吸収物品が取付手段を与えられることは必須でない。おむつパンツの如き閉じた側部分を有する物品も本発明の可能な実施態様である。液密被覆における適用のための吸収性挿入体も本発明の可能な実施態様である。もちろん、デザインも示された砂時計形状に限定されるとみなされるべきものではない。
【００２４】
おむつ１は各縦方向側縁２１に沿って予め緊張された状態で取付けられた縦方向弾性手段２７をも有する。これらの弾性手段２７は使用中着用者の脚に対して封止することを意図され、かくしておむつからの液体の漏れに対するより良好な保護を与える。後部分１５の端縁２３に沿っておむつ１は予め緊張された状態でおむつに取付けられた横方向弾性手段２８を有する。この横方向弾性手段２８は腰弾性体を構成する。本発明にとっては物品が弾性手段を有することは必須ではない。
【００２５】
第一吸収体は一以上の層の同一吸収材料又は異なる吸収材料を含むことができる。
【００２６】
第一吸収体は液体を受入れて移送するように設計されることが好ましい。第一吸収体は液体が吸収体を通って流れることに対する低い抵抗性を獲得するために大きな細孔又は細管を有する材料の層を含むことができる。この層は使用中着用者の体に対して快適に感じられる柔らかい材料からなることが好適である。使用されることができる材料の例は低い圧縮度を有するセルロース層、特に機械パルプ、サーモメカニカルパルプ又はケミサーモメカニカルパルプ（ＣＴＭＰ）からなるセルロース層、又は他の種類の天然又は合成繊維からなる繊維マット及び詰めものである。フォームの如き柔らかい有孔材料又は連続気泡材料を使用することも可能である。
【００２７】
第一吸収体は一定量の超吸収剤として知られている高度吸収剤ポリマーを繊維、粒子、顆粒、薄膜などの形状で含むこともできる。これらの超吸収剤は自重の数倍に相当する量の液体を結合する大きな能力によって特徴付けられる。
【００２８】
第一吸収体は湿潤されたときに通し方向に大きく膨張する材料をも含むことができる。好適なかかる材料の製造はＷＯ  ９４／１０９５６に記述されている。この材料の特徴はそれが乾式成形されフラッシュ乾燥されたセルロース繊維によって製造されて３０〜２０００ｇ／ｍ２の単位面積あたり重量を有するウェブを形成し、そのウェブが０．２〜１ｇ／ｍ３の密度に圧縮されていること、及びウェブが引き続いて離解されたりフラッフ形成されたりすることなしに吸収物品中に吸収構造として組み入れられていることである。他の例は一定量の超吸収材料、好ましくは少なくとも１０重量％の超吸収材料が混合されているセルロース毛羽パルプである。通し方向に膨張することができる他の材料の例は圧縮され発泡された材料及び繊維の詰め物であり、これらは湿潤されたときにそれらの圧縮前の寸法に部分的に戻る。第一吸収体が膨張性材料を含む場合、液体透過性表面層はストレッチ性材料からなることが好ましい。
【００２９】
第一吸収体７は丸い穴の形状の多数の開口２９を有する。これらの開口は通し方向１０に第一吸収体７を通して物品の使用中着用者に面する吸収体の側から物品の使用中着用者から離れて面する吸収体の側へと伸張する。開口の形状は決定的ではないが、開口は排泄物を収集するのに十分大きくあるべきである。開口２９は吸収体を通る切れ目の形状であることもできる。
【００３０】
開口２９は図１に示すように第一吸収体７の本質的に全体にわたって配置されることができる。しかしながら、これは本発明にとっては必須ではない。開口は代わりに例えば吸収体の一以上の領域内に、また例えば前部分、後部分、股部分又はこれらの一部分内に配置されることができる。また、開口は同一寸法である必要はない。例えば前部分及び後部分における開口は股部分における開口よりも大きくすることができ、逆もまたそうである。後部分における開口は前部分における開口よりも大きくすることができ、逆もまたそうである。領域内の開口は異なる寸法であることもできる。開口の数は好ましくは少なくとも三つ、より好ましくは一層多数であるが、ほんの一つ又は二つの開口も本発明の可能な実施態様として見られるべきである。
【００３１】
本発明によればおむつ１は第一吸収体７と液密表面層５の間に配置された第二吸収構造３１を含む。
【００３２】
液体透過性面層３は第一吸収体７中の通し開口２９によって構成される領域において例えば超音波により第二吸収構造３１に取付けられている。熱溶接又は接着は液体透過性表面層を第二吸収体３１に取付ける他の可能な方法の例である。
【００３３】
液体透過性表面層が第一吸収体を通る開口において第二吸収構造に取付けられるという方法以外の他の方法で第一吸収体が第二吸収構造に取付けられ、その結果、第一吸収体が液体透過性表面層と第二吸収構造の間に平面において保持されることは必須ではない。その場合、開口は排泄物を収集するための可撓性空間を構成することができる。その理由は第一吸収体が開口の間の隣接する層に取付けられていないので開口はおむつの横、縦、及び／又は通し方向に膨張する可能性を有し、その結果、その構造はある程度の可撓性／可動性を獲得するからである。
【００３４】
第二吸収構造は液体透過性層及び／又は同一吸収材料又は異なる吸収材料の一以上の層を含むことができる。
【００３５】
第二吸収構造は分散層及び貯蔵層として機能することが有利であり、好適には大きな密度及び大きな液体分散及び液体保持能力を有する材料を含む。好適な材料の例は約４００ｇ／ｍ２の単位面積あたり重量を有する化学的に製造されたセルロース毛羽パルプ（ＣＰ）である。上述されＷＯ  ９４／１０９５６に記述された乾式成形された繊維層も有利に用いることができる。液体分散層は圧縮に沿って液体移送を案内するための圧縮パターンを与えられることができる。
【００３６】
第二吸収構造３１は吸収体を通る液体の流れに対して低い抵抗性を獲得するための大きな細孔又は細管を持つ開放構造を有する材料を含むことができる。使用されることができる材料の例は低圧縮度のセルロース層又は他の種類の天然又は合成繊維からなる繊維マット及び詰め物である。柔らかい有孔又は連続気泡材料を使用することも可能である。折り畳まれた材料、波形にされた材料又は他の方法で開放構造へと形成された材料も使用されることができる。
【００３７】
第二吸収構造はある形態の超吸収剤を含むことが有利である。超吸収剤の好適な含有量は少なくとも１０重量％、好ましくは１０〜６０重量％であることができる。
【００３８】
第二吸収構造は液体透過性層を含むことができる。これはこの目的のために好適ないかなる公知材料からなることができる。かかる材料の例は不織布材料、有孔プラスチックフィルム、ネットなどである。層はコロナ処理された不織布又はレーヨンの如き親水性材料から形成されることができる。
【００３９】
線ＩＩ−ＩＩに沿った図１におけるおむつの断面である図２ａに示される実施態様は吸収体を通る液体の流れに対して低い抵抗性を獲得するための大きな細孔又は細管を有する層を含む第一吸収体７を含む。この層は使用中着用者の体に対して快適に感じられる柔らかい材料からなることが好適である。使用されることができる材料の例は低い圧縮度を有するセルロース層、特に機械パルプ、サーモメカニカルパルプ又はケミサーモメカニカルパルプ（ＣＴＭＰ）からなるセルロース層、又は他の種類の天然又は合成繊維からなる繊維マット及び詰め物である。柔らかい有孔材料又は連続気泡材料を使用することも可能である。液体透過性表面層３は使用中おむつの着用者に面する第一吸収体７の側に配置されており、第一吸収体を通る開口２９を通して使用中着用者から離れて面する第一吸収体７の側に配置された第二吸収構造３１に取付けられている。これらの開口２９は通し方向１０に第一吸収体７を通して物品の使用中着用者に面する第一吸収体７の側から物品の使用中着用者から離れて面する吸収体の側へと伸張する。
【００４０】
第二吸収構造３１は例えば大きな密度及び大きな液体分散及び液体保持能力を有する材料から形成された分散層／貯蔵層を含む。好適な材料の例は約４００ｇ／ｍ２の単位面積あたり重量を有する化学的に製造されたセルロース毛羽パルプ（ＣＰ）である。上述されＷＯ  ９４／１０９５６に記述された乾式成形された繊維層も有利に用いることができる。第二吸収構造は１０〜６０重量％の超吸収剤をも含むことが好ましい。
【００４１】
線ＩＩ−ＩＩに沿った図１におけるおむつの断面である図２ｂに示される実施態様における液体透過性表面層は第一吸収体７を通る開口２９に穴３２を有する。図２ｂにおける穴は第一吸収体を通る開口の真上に配置されている。これらの穴は例えば溶接中に液体透過性表面層と第二吸収構造を一緒に結合することに関連して形成されることができるか、又は予め孔を開けられた液体透過性表面層が使用されることもできる。液体透過性表面層を通る穴が第一吸収体を通る開口の真上に配置されることは必須でないが、穴は尿及び／又は排泄物が開口に収集された後に穴を通過することを可能とするような様式で開口に配置されるべきである。穴は例えば第一吸収体に向かって指向されるように配置されることができる。
【００４２】
穴３２及び開口２９は排泄物が通過することができるほど十分大きいことが好ましい。
【００４３】
図２ｂにおける第二吸収構造３１は第一吸収体に面する側に、吸収体を通る液体の流れに対して低い抵抗性を獲得するための大きな細孔又は細管を有する材料の層を含むことが好適である。層は排泄物を収集するのに好適な開放構造を有することが好ましい。かかる材料の例は低圧縮度のセルロース層又は他の種類の天然又は合成繊維からなる繊維マット及び詰め物である。柔らかい有孔又は連続気泡材料を使用することも可能である。折り畳まれた材料、波形にされた材料又は他の方法で開放構造へと形成された材料も使用されることができる。
【００４４】
線ＩＩ−ＩＩに沿った図１におけるおむつの断面である図２ｃに示される実施態様における第一吸収体７は吸収体を通る液体の流れに対して低い抵抗性を獲得するための大きな細孔又は細管を有する材料の第一層７’を含む。この第一層７’は使用中着用者の体に対して快適に感じられる柔らかい材料からなることが好適である。この第一層７’は液体透過性表面層３に接して配置される。第一吸収体７は第一層７’よりも開放されているか又は多孔性であり、層を通る液体の流れに対して低い抵抗性を獲得するための大きな細孔又は細管を有する材料からなる。使用されることができる材料の例は低圧縮度のセルロース層又は他の種類の天然又は合成繊維からなる繊維マット及び詰め物である。柔らかい有孔又は連続気泡材料を使用することも可能である。折り畳まれた材料、波形にされた材料又は他の方法で開放構造へと形成された材料も使用されることができる。
【００４５】
液体透過性表面層３は使用中おむつの着用者に面する第一吸収体７の側に配置されており、第一吸収体を通る開口２９を通して使用中着用者から離れて面する第一吸収体７の側に配置された第二吸収構造３１に取付けられている。これらの開口２９は通し方向１０に第一吸収体７を通して物品の使用中着用者に面する第一吸収体７の側から物品の使用中着用者から離れて面する吸収体の側へと伸張する。
【００４６】
図２ｃにおける第二吸収構造３１は例えば良好な受入れ能力を有する親水性不織布材料の第一層３１’（この層は第一吸収体７に面する）、及び大きな密度及び大きな液体分散及び液体保持能力を有する材料の第二層３１”（この層は第一吸収体から離れて面する）からなる。好適な材料の例は約４００ｇ／ｍ２の単位面積あたり重量を有する化学的に製造されたセルロース毛羽パルプ（ＣＰ）である。上述されＷＯ  ９４／１０９５６に記述された乾式成形された繊維層も有利に用いることができる。吸収構造は１０〜６０重量％の超吸収剤をも含むことが好ましい。
【００４７】
図２ｄにおいて液体透過性表面層３は吸収体を通る開口２９を通して使用中着用者から離れて面する第一吸収体７の側に配置された液体透過性層の形状の第二吸収構造３１に取付けられている。これらの開口２９は通し方向１０に第一吸収体７を通して物品の使用中着用者に面する第一吸収体７の側から物品の使用中着用者から離れて面する吸収体の側へと伸張する。液体透過性表面層を通る穴３２において表面層は層を通る穴３４において液体透過性層に取付けられており、これらの穴３２、３４は尿及び／又は排泄物が開口２９及び穴３２，３４を通過することができるように第一吸収体を通る穴２９に配置されている。
【００４８】
第三吸収構造３５は使用中着用者から離れて面する第二吸収構造の側に配置される。図２ｄにおける第三吸収構造は例えば吸収体を通る液体の流れに対して低い抵抗性を獲得するための大きな細孔又は細管を有する材料の層を含む。層は排泄物を収集するのに好適な開放構造を有することが好ましい。使用されることができる材料の例は低圧縮度のセルロース層又は他の種類の天然又は合成繊維からなる繊維マット及び詰め物である。柔らかい有孔又は連続気泡材料を使用することも可能である。折り畳まれた材料、波形にされた材料又は他の方法で開放構造へと形成された材料も使用されることができる。
【００４９】
第三吸収構造３５は大きな密度及び大きな液体分散及び液体保持能力を有する材料を含むことができる。好適な材料の例は約４００ｇ／ｍ２の単位面積あたり重量を有する化学的に製造されたセルロース毛羽パルプ（ＣＰ）である。上述されＷＯ  ９４／１０９５６に記述された乾式成形された繊維層も有利に用いることができる。第三吸収構造は１０〜６０重量％の超吸収剤をも含むことが好ましい。
【００５０】
図２ｄにおける第二吸収構造３１は第三吸収構造３５に取付けられておらず、第二吸収構造と第三吸収構造の間に空間３７が形成されている。この空間は排泄物が層及び第一吸収体を通る開口を通過した後に排泄物を収集するためのものである。
【００５１】
線ＩＩ−ＩＩに沿った図１におけるおむつの断面である図２ｅに示される実施態様は液体透過性表面層３と第一吸収体７の間に配置された液体移送層４０を含む。図２ｅにおいて液体透過性表面層３と液体移送層４０の両方は第一吸収体７を通して通し方向に伸張する。開口２９を通して第二吸収構造３１に取付けられている。液体透過性表面層３は液体透過性表面層３と第二吸収構造３１の間に横たわる液体移送層４０によって第二吸収構造に間接的に取付けられている。
【００５２】
液体移送層４０は吸収体を通る液体の流れに対して低い抵抗性を獲得するための大きな細孔又は細管を有する材料からなることが好ましい。液体移送層は使用中着用者の体に対して快適に感じられる柔らかい材料からなることが好適である。使用されることができる材料の例は低い圧縮度を有するセルロース層、又は他の種類の天然又は合成繊維からなる繊維マット及び詰め物である。柔らかい有孔材料又はフォームの如き連続気泡材料を使用することも可能である。
【００５３】
図２ｆにおいて液体透過性表面層３は吸収体を通る開口２９を通して使用中着用者から離れて面する第一吸収体７の側に配置された液体透過性層の形状の第二吸収構造３１に取付けられている。これらの開口２９は通し方向１０に第一吸収体７を通して物品の使用中着用者に面する第一吸収体７の側から物品の使用中着用者から離れて面する吸収体の側へと伸張する。液体透過性表面層を通る穴３２において表面層は層を通る穴３４において液体透過性層に取付けられており、これらの穴３２、３４は尿及び／又は排泄物が開口２９及び穴３２，３４を通過することができるように第一吸収体を通る穴２９に配置されている。
【００５４】
液密表面層５は使用中着用者から離れて面する液体透過性層の側に配置されている。図２ｆにおける第二吸収構造３１は液密表面層５に取付けられておらず、第二吸収構造と液密表面層５の間に空間３７が形成されている。この空間は排泄物及び尿が層及び第一吸収体を通る開口を通過した後に排泄物及び尿を収集するためのものである。液体はその場合、液体透過性層を通して液密表面層に面する第一吸収体の側から第一吸収体中に吸収されることもできる。
【００５５】
本発明は上述の実施態様に限定されるものとみなされるべきではなく、添付の特許請求の範囲の範囲内で多数の改変が可能である。
【図面の簡単な説明】
【００５６】
【図１】本発明の一実施態様によるおむつの平面図を示す。
【図２ａ】第一実施態様による線ＩＩ−ＩＩに沿った図１のおむつを通る断面を示す。
【図２ｂ】第二実施態様による線ＩＩ−ＩＩに沿った図１のおむつを通る断面を示す。
【図２ｃ】第三実施態様による線ＩＩ−ＩＩに沿った図１のおむつを通る断面を示す。
【図２ｄ】第四実施態様による線ＩＩ−ＩＩに沿った図１のおむつを通る断面を示す。
【図２ｅ】第五実施態様による線ＩＩ−ＩＩに沿った図１のおむつを通る断面を示す。
【図２ｆ】第六実施態様による線ＩＩ−ＩＩに沿った図１のおむつを通る断面を示す。
【図１】
2005525134.tif 000003
【図２ａ】
2005525134.tif 000004
【図２ｂ】
2005525134.tif 000005
【図２ｃ】
2005525134.tif 000006
【図２ｄ】
2005525134.tif 000007
【図２ｅ】
2005525134.tif 000008
【図２ｆ】
2005525134.tif 000009
【手続補正書】
【提出日】平成15年10月20日(2003.10.20)
【手続補正１】
【補正対象書類名】特許請求の範囲
【補正対象項目名】全文
【補正方法】変更
【補正の内容】
【特許請求の範囲】
【請求項１】
液体透過性表面層（３）、液密表面層（５）及びこれらの表面層の間に配置された第一吸収体（７）を含むおむつ又は失禁パッドの如き吸収物品であって、前記第一吸収体（７）が表面層に沿って縦方向（１１）及び横方向（９）に延びかつ液体透過性表面層（３）から液密表面層（５）の方へ通し方向（１０）に延び、前記第一吸収体（７）が第一吸収体（７）を通して通し方向（１０）に延びる開口（２９）を有し、液体透過性層（３１）が液体透過性表面層（３）から離れて面する第一吸収体（７）の側に配置されているものにおいて、液体透過性表面層（３）が第一吸収体（７）を通る開口（２９）において液体透過性層（３１）に取付けられていることを特徴とする吸収物品。
【請求項２】
液体透過性表面層（３）が意図的に結合されることによっては第一吸収体（７）に取付けられていないことを特徴とする請求項１に記載の吸収物品。
【請求項３】
第一吸収体（７）が意図的に結合されることによっては液体透過性層（３１）に取付けられていないことを特徴とする請求項１又は２に記載の吸収物品。
【請求項４】
開口（２９）が丸い穴の形状のものであることを特徴とする請求項１〜３のいずれか一項に記載の吸収物品。
【請求項５】
開口（２９）が縦溝の形状のものであることを特徴とする請求項１〜３のいずれか一項に記載の吸収物品。
【請求項６】
液体透過性表面層（３）が第一吸収体を通る開口（２９）に配置された穴（３２）を有し、かくして尿及び／又は排泄物が穴（３２）及び開口（２９）を通過することができることを特徴とする請求項１〜５のいずれか一項に記載の吸収物品。
【請求項７】
液体透過性表面層（３）が第一吸収体（７）を通る開口（２９）の間に疎水性領域を含むことを特徴とする請求項１〜６のいずれか一項に記載の吸収物品。
【請求項８】
液体透過性表面層（３）が２０ｇ／ｍ２の単位面積あたり最大重量を有することを特徴とする請求項１〜７のいずれか一項に記載の吸収物品。
【請求項９】
液体移送層（４０）が液体透過性表面層（３）と第一吸収体（７）の間に配置され、液体移送層（４０）も開口（２９）を通して液体透過性層（３１）に取付けられていることを特徴とする請求項１〜８のいずれか一項に記載の吸収物品。
【請求項１０】
可撓性空間（３７）が液体透過性層（３１）と下に横たわる層（５）の間に形成されていることを特徴とする請求項１〜９のいずれか一項に記載の吸収物品。
【国際調査報告】
2005525134.tif 000010
2005525134.tif 000011
2005525134.tif 000012
2005525134.tif 000013
2005525134.tif 000014